(57)【要約】      （修正有）【課題】構造が簡単で、紙ピックアップの安定性を向上させるピックアップ機構を提供する。【解決手段】ピックアップ機構１００は、ピックアップ圧板１０、ピックアップ機構伝動ユニット、伝動部品、ハウジング３０、２個の紙停止構造４０、２個の弾性部品、４個のピックアップローラー６０、機台７０を備える。ピックアップ圧板１０は、機台７０上方に設置し、底板１１を備える。底板１１の両側は、それぞれ上方へと延伸し、２個の側板１２が形成される。側板１２の頂点端は、凸部１２１を外へと突出する。底板１１中央部は、移動部１３を上方へと突出する。移動部１３の前側には、受動部品が設置される。受動部品は、ラック歯車１３１である。移動部１３左右両側には、縦に設置するスライド槽１３２がそれぞれ開設される。底板１１上の移動部１３両側には、２個の係合部１４を突出する。２個の係合部１４は対応し、移動部１３の両側に位置する。底板１１前部両側は、一対の固定部１５を、それぞれ上方へと突出する。【選択図】図３
0003191396.tif 000002
【実用新案登録請求の範囲】
【請求項１】
ピックアップ機構であって、
ピックアップ機構は、機台、ピックアップローラー、ピックアップ圧板、伝動部品、ハウジング、少なくとも１個の紙停止構造、少なくとも１個の弾性部品を備え、
前記機台には、少なくとも１個の機台槽を開設し、
前記ピックアップローラーは、前記機台下方に設置し、一部は、前記機台槽を貫通して、前記機台上方へと伸び出し、
前記ピックアップ圧板は、前記機台上方に設置し、前記ピックアップ圧板上には、受動部品を設置し、
前記伝動部品は、前記受動部品と相互に対応し、前記ピックアップ圧板の上下移動を連動し、前記伝動部品によりピックアップ機構伝動ユニットを伝動し、前記伝動部品と前記受動部品とは対応し、前記ピックアップ圧板の上下移動を連動し、
前記ハウジングは、前記ピックアップ圧板上を覆って設置し、前記ハウジングは、前記紙停止構造の固定壁を下方へと突出し、
前記少なくとも１個の紙停止構造は、前記ピックアップ圧板上に可動設置し、
前記少なくとも１個の弾性部品は、前記ハウジングと前記ピックアップ圧板との間に設置し、
前記伝動部品は自由に回転し、前記ピックアップ圧板は、前記弾性部品の弾力下圧により、紙をピックアップする正方向の力を生じ、
前記紙停止構造が前記ピックアップ圧板の下圧に従い、前記紙停止機構固定壁の拘束を離脱すると、前記紙停止構造は、自由に活動可能となり、紙は、ピックアップローラーにより第一方向に沿って、回転して紙を送り、前記紙停止構造を押して開き、紙をピックアップし、
紙がない時には、前記ピックアップ機構伝動ユニットは、前記ギアホイールを駆動し、第一方向と反対の第二方向に沿って、回転させ、これにより、前記ピックアップ圧板は、前記ピックアップ圧板上に設置する受動部品上において、初期位置へと持ち上げられ、
この時、前記紙停止構造は、重量或いは他の外力が加えられることで、回転され、紙停止位置へと落下し、さらに、前記ピックアップ圧板の上昇に従い、再び、前記紙停止機構固定壁により、固定を拘束され、紙停止機能を達成することを特徴とするピックアップ機構。
【請求項２】
前記ピックアップ圧板は、底板を備え、
前記底板の両側は、それぞれ上方へと延伸し、２個の側板が形成され、
前記側板の頂点端は、凸部を外へと突出し、
前記ハウジングは、頂板を備え、
前記頂板両側には、２個の側壁をそれぞれ下方へと延伸して形成し、
前記側壁上には、位置限定槽が開設され、前記ピックアップ圧板の凸部は、前記位置限定槽内に設置され、前記位置限定槽内において、上下に移動することを特徴とする請求項１に記載のピックアップ機構。
【請求項３】
前記ピックアップ圧板は、底板を備え、
前記底板中央部は、移動部を上方へと突出し、
前記受動部品は、前記移動部の前側に設置され、
前記ハウジングは、頂板を備え、
前記頂板中央部は、前から後へと、開槽を開設し、前記移動部の頂点部は、前記開槽内に収容されることを特徴とする請求項１に記載のピックアップ機構。
【請求項４】
前記ピックアップ圧板の移動部左右両側には、スライド槽がそれぞれ開設され、
前記ハウジングの頂板は、前記開槽両側において、それぞれ内側へと突出し、下方へと延伸して、２個の長方形板を形成し、
前記長方形板は、前記スライド槽内に収容されることを特徴とする請求項３に記載のピックアップ機構。
【請求項５】
前記ピックアップ圧板の底板上には、２個の係合部を突出し、
前記２個の係合部は対応し、前記移動部の両側に位置し、
前記弾性部品は、２個有し、前記ハウジングの頂板と前記ピックアップ圧板との間に設置し、前記係合部上に係合することを特徴とする請求項３に記載のピックアップ機構。
【請求項６】
前記ハウジングの頂板の開槽右側壁前部は、固定板を下方へと突出し、
前記固定板には、可動設置孔を開設し、
前記伝動部品は、前記可動設置孔内に設置されることを特徴とする請求項３に記載のピックアップ機構。
【請求項７】
前記ピックアップ圧板は、底板を備え、
前記底板前部両側は、一対の固定部を、それぞれ上方へと突出し、
前記一対の固定部は、左右に間隔を開けて設置し、
前記固定部上には、可動孔を開設し、
前記紙停止構造は２個有し、後から前へと斜め下に延伸し、下向きに湾曲する湾曲アームを備え、
前記湾曲アーム頂点端は、両側へと、２個の可動軸を突出し、
前記２個の可動軸は、前記一対の固定部の２個の可動孔内に、対応して可動設置され、  前記湾曲アーム頂点端は、上方へと、固定部を突出し、前記固定部は、前記紙停止機構固定壁上に、固定されることを特徴とする請求項１に記載のピックアップ機構。
【請求項８】
前記機台には、少なくとも１個の紙停止構造収容槽を開設し、
前記紙停止構造下端は、前記紙停止構造収容槽内に収容されることを特徴とする請求項１に記載のピックアップ機構。
【考案の詳細な説明】
【技術分野】
【０００１】
本考案は、ピックアップ機構に関し、構造が簡単で、紙ピックアップの安定性を向上させられるピックアップ機構に関する。
【背景技術】
【０００２】
従来のピックアップ機構は、一組のピックアップ機構伝動ユニットにより作動する。すなわち、ピックアップ機構伝動ユニットのカム或いは連棒により、ピックアップモジュールを駆動し、紙をスキャンエリアに運ぶ。スキャンが終了すると、伝動ユニットのカム或いは連棒により、紙停止機構を駆動し、機台は紙ピックアップスタンバイ状態を回復する。これにより、使用者は紙をセットすることができる。
【０００３】
従来の技術では、カム或いは連棒などの方式により、紙ピックアップモジュールを駆動する必要がある。そのため、それに対応する伝動パーツを増やさざるを得ず、パーツの組み立てが複雑になっている。また、それに対応する空間も必要で、組み立てに時間がかかり、これもコストを押し上げる要因となっている。さらに、紙ピックアップ圧板の圧迫力が左右不均一になり易く、紙ピックアップ時の力の不均衡で、紙ピックアップが偏るなどの問題が発生する。
【考案の概要】
【考案が解決しようとする課題】
【０００４】
本考案の目的は、上述の周知の不足点に対して、構造が簡単で、紙ピックアップの安定性を向上させられるピックアップ機構を提供することにある。
【課題を解決するための手段】
【０００５】
上述の目的を達成するため、本考案はピックアップ機構を提供し、それは、機台、ピックアップローラー、ピックアップ圧板、伝動部品、ハウジング、少なくとも１個の紙停止構造、少なくとも１個の弾性部品を備える。
ピックアップローラーは、機台下方に設置し、一部は機台槽を貫通して、機台上方へと伸び出す。
ピックアップ圧板は、機台上方に設置し、ピックアップ圧板上には受動部品を設置する。
伝動部品は、受動部品と相互に対応し、ピックアップ圧板の上下移動を連動し、伝動部品により、ピックアップ機構伝動ユニットを伝動し、伝動部品と受動部品とは対応し、ピックアップ圧板の上下移動を連動する。
ハウジングは、ピックアップ圧板上を覆って設置し、ハウジングは紙停止構造の固定壁を下方へと突出する。
紙停止構造は、ピックアップ圧板上に可動設置する。
弾性部品は、ハウジングとピックアップ圧板との間に設置する。
【０００６】
伝動部品は、自由に回転し、ピックアップ圧板は、弾性部品の弾力下圧によりピックアップの正方向の力を提供する。紙をピックアップする正方向の力を生じる。
紙停止構造がピックアップ圧板の下圧に従い、紙停止機構固定壁の拘束を離脱すると、紙停止構造は、自由に活動可能となり、紙は、ピックアップローラーにより第一方向に沿って、回転して紙を送り、紙停止構造を押して開き、紙をピックアップする。
紙がない時には、ピックアップ機構伝動ユニットは、ギアホイールを駆動し、第一方向と反対の第二方向に沿って、回転させ、これにより、ピックアップ圧板は、ピックアップ圧板上に設置する受動部品上において、初期位置へと持ち上げられる。
この時、紙停止構造は、重量或いは他の外力が加えられることで、回転され、紙停止位置へと落下し、さらにピックアップ圧板の上昇に従い、再び、紙停止機構固定壁により、固定を拘束され、紙停止機能を達成する。
【考案の効果】
【０００７】
総合すると、本考案ピックアップ機構は、伝動部品により、ピックアップ圧板を駆動し、下圧を実現し、ピックアップの正方向の力を提供し、持ち上がって紙のフィードを実現することができる。すなわち、カム或いは連棒などの方式により、ピックアップモジュールを駆動する従来の技術に比べ、コンパクトで、パーツ数が少ないため、構造が簡単で、パーツコストと組み立てにかかる時間を減らすことができる。また、本考案ピックアップ機構は、連棒により連動する際のピックアップ圧板の下圧力が左右不均一になり、紙にかかる力が不均衡となることで、紙のピックアップが不安定になるという従来の技術に存在する欠点を改善することができる。
【図面の簡単な説明】
【０００８】
【図１】本考案の一実施形態による立体図である。
【図２】図１に示すピックアップ機構において、ハウジングを取り外した状態を示す立体図である。
【図３】図１に示すピックアップ機構の立体分解図である。
【考案を実施するための形態】
【０００９】
以下に本考案の技術内容、構造特徴、達成する目的及び作用効果について、以下に例を挙げ並びに図面を組み合わせて詳細に説明する。
【００１０】
図１から図３を参照されたい。ピックアップ機構１００は、ピックアップ圧板１０、ピックアップ機構伝動ユニット（図示なし）、伝動部品、ハウジング３０、２個の紙停止構造４０、２個の弾性部品、４個のピックアップローラー６０、機台７０を備える。
【００１１】
ピックアップ圧板１０は、機台７０上方に設置し、底板１１を備える。底板１１の両側は、それぞれ上方へと延伸し、２個の側板１２が形成される。側板１２の頂点端は、凸部１２１を外へと突出する。底板１１中央部は、移動部１３を上方へと突出する。移動部１３の前側には、受動部品が設置される。
【００１２】
本考案の一実施形態では、受動部品は、ラック歯車１３１である。移動部１３左右両側には、縦に設置するスライド槽１３２がそれぞれ開設される。底板１１上の移動部１３両側には、２個の係合部１４を突出する。２個の係合部１４は対応し、移動部１３の両側に位置する。底板１１前部両側は、一対の固定部１５を、それぞれ上方へと突出する。一対の固定部１５は、左右に間隔を開けて設置する。固定部１５上には、左右に設置する可動孔を開設する。
【００１３】
ハウジング３０は、ピックアップ圧板１０上を覆って設置する。ハウジング３０は、頂板３１を備え、頂板３１両側には、２個の側壁３２をそれぞれ下方へと延伸して形成する。側壁３２上には、位置限定槽３２１を開設する。ピックアップ圧板１０の凸部１２１は、位置限定槽３２１内に設置し、位置限定槽３２１内において、上下に移動することができる。頂板３１中央部は、前から後へと、開槽３２２を開設する。ピックアップ圧板１０の移動部１３の頂点部は、開槽３２２内に収容される。頂板３１は、開槽３２２両側において、それぞれ内側へと突出し、下方へと延伸して、２個の長方形板３２３を形成する。長方形板３２３は、ピックアップ圧板１０のスライド槽１３２内に収容される。開槽３２２右側壁前部は、固定板３２４を下方へと突出する。固定板３２４には、左右に設置する可動設置孔３２５を開設する。伝動部品は、可動設置孔３２５内に設置される。本考案の一実施形態では、伝動部品は、ギアホイール２０である。頂板３１は、下方へと紙停止機構固定壁３３を突出する。
【００１４】
紙停止構造４０は、おおよそ湾曲アーム状を呈し、後から前へと斜め下に延伸し、さらに下向きに湾曲する湾曲アーム４１を備える。湾曲アーム４１頂点端は、両側へと、２個の可動軸４２を突出する。２個の可動軸４２は、一対の固定部１５の２個の可動孔１５１内に、対応して可動設置される。湾曲アーム４１頂点端は、上方へと、固定部４３を突出する。固定部４３は、紙停止機構固定壁３３上に、固定される。
【００１５】
弾性部品は、ハウジング３０の頂板３１とピックアップ圧板１０の底板１１との間に設置し、ピックアップ圧板１０の係合部１４上に係合する。本考案の一実施形態では、弾性部品は、バネ５０である。
【００１６】
機台７０は、板状を呈し、４個の機台槽７１と２個の紙停止構造収容槽７２を開設する。ピックアップローラー６０は、機台７０下方に設置し、一部は、機台槽７１を貫通して、機台７０上方へと伸び出す。紙停止構造４０下端は、紙停止構造収容槽７２内に収容される。
【００１７】
本考案一実施形態によるピックアップ機構１００の作動時には、ギアホイール２０は、ピックアップ機構伝動ユニットにより、伝動される。ギアホイール２０とラック歯車１３１とは、相互に対応し、ピックアップ圧板１０の上下移動を連動する。
【００１８】
ピックアップ機構伝動ユニットが、無負荷状態であれば、ギアホイール２０は、自由に回転する。ピックアップ圧板１０は、バネ５０の弾力下圧により、紙をピックアップする正方向の力を生じる。紙停止構造４０がピックアップ圧板１０の下圧に従い、紙停止機構固定壁３３の拘束を離脱すると、紙停止構造４０は、自由に活動可能となり、紙は、ピックアップローラー６０により第一方向に沿って、回転して紙を送り、紙停止構造４０を押して開き、紙をピックアップする。
【００１９】
紙がない時には、ピックアップ機構伝動ユニットは、ギアホイール２０を駆動し、第一方向と反対の第二方向に沿って、回転させる。これにより、ピックアップ圧板１０は、ピックアップ圧板１０上に設置するラック歯車１３１上において、ギアホイール２０により連動され、初期位置へと持ち上げられる。この時、紙停止構造４０は、重量或いは他の外力が加えられることで、回転され、紙停止位置へと落下する。さらに、ピックアップ圧板１０の上昇に従い、再び、紙停止機構固定壁３３により、固定を拘束され、紙停止機能を達成する。
【００２０】
上述の実施形態の説明を総合すると、本考案ピックアップ機構は、ギアホイール２０によりピックアップ圧板１０を駆動し、下圧を実現し、ピックアップの正方向の力を提供し、持ち上がって紙のフィードを実現することができる。
すなわち、カム或いは連棒などの方式により、ピックアップモジュールを駆動する従来の技術に比べ、コンパクトで、パーツ数が少ないため、構造が簡単で、パーツコストと組み立てにかかる時間を減らすことができる。また、本考案ピックアップ機構１００は、連棒により連動する際のピックアップ圧板の下圧力が左右不均一になり、紙にかかる力が不均衡となることで、紙のピックアップが不安定になるという従来の技術に存在する欠点を改善することができる。
【符号の説明】
【００２１】
１００  ピックアップ機構
１０  ピックアップ圧板
１１  底板
１２  側板
１２１  凸部
１３  移動部
１３１  ラック歯車
１３２  スライド槽
１４  係合部
１５  固定部
１５１  可動孔
２０  ギアホイール
３０  ハウジング
３１  頂板
３２  側壁
３２１  位置限定槽
３２２  開槽
３２３  長方形板
３２４  固定板
３２５  可動設置孔
３３  紙停止機構固定壁
４０  紙停止構造
４１  湾曲アーム
４２  可動軸
４３  固定部
５０  バネ
６０  ピックアップローラー
７０  機台
７１  機台槽
７２  紙停止構造収容槽
【図１】
0003191396.tif 000003
【図２】
0003191396.tif 000004
【図３】
0003191396.tif 000005